(57)【要約】【課題】容易に切断手段のメンテナンスを行うことができるおしぼり製造装置を提供することを目的とする。【解決手段】本おしぼり製造装置１は、帯状のシート材３からおしぼり５を製造する装置である。おしぼり製造装置は、帯状のシート材３が纏まったシート体１５からシート材３を引き出す引出手段７と、引出手段７により引き出されたシート材３を所定長さに切断する切断手段９と、切断手段９により切断されたシート材３をおしぼりの形状に成形する成形手段１１と、を備えている。また、これら引出手段７、切断手段９、及び成形手段１１を収容するケース１３を備えている。ケース１３には、切断手段９が収容される収容空間Ｒが形成されている。この収容空間Ｒには、その外部と連通した開口１９が形成されている。そして、切断手段９は、この開口１９を通じて収容空間Ｒから挿脱可能に設けられている。【選択図】図２
2016174767.tif 000002
【特許請求の範囲】
【請求項１】
帯状のシート材からおしぼりを製造するおしぼり製造装置であって、
前記帯状のシート材が纏まったシート体から前記シート材を引き出す引出手段と、
前記引出手段により引き出された前記シート材を所定長さに切断する切断手段と、
前記切断手段により切断された前記シート材をおしぼりの形状に成形する成形手段と、
前記引出手段、前記切断手段、及び前記成形手段を収容するケースと、を備え、
前記ケースには、前記切断手段が収容される収容空間が形成され、
前記収容空間には、その外部と連通した開口が形成されており、
前記切断手段は、前記開口を通じて前記収容空間から挿脱可能に設けられていることを特徴とするおしぼり製造装置。
【請求項２】
前記切断手段を前記ケースに固定するための固定スイッチが備えられており、
前記固定スイッチをオンにすることにより、前記切断手段は前記ケースから取り外し不能となり、
前記固定スイッチをオフにすることにより、前記切断手段は前記ケースから取り外し可能となることを特徴とする請求項１に記載のおしぼり製造装置。
【請求項３】
前記切断手段を前記ケースから取り外すと、前記切断手段が、前記ケース側に設けられた給電手段と電気的に切断され、
前記切断手段を前記ケースに取り付けると、前記切断手段が、前記給電手段と電気的に接続されることを特徴とする請求項１又は２記載のおしぼり製造装置。
【発明の詳細な説明】
【技術分野】
【０００１】
本発明は、おしぼり製造装置に関し、更に詳しくは、容易に切断手段のメンテナンスを行うことができるおしぼり製造装置に関する。
【背景技術】
【０００２】
従来、シートロールから帯状のシート材を引き出して所定長さに切断し、おしぼり形状に成形するおしぼり製造装置が知られている。この種のおしぼり製造装置として、ケースに開口を形成して、その開口から詰まったシート材を取り出せるようにしているものが知られている（例えば、特許文献１参照）。
【先行技術文献】
【特許文献】
【０００３】
【特許文献１】特開２００９−６６１３９号公報
【発明の概要】
【発明が解決しようとする課題】
【０００４】
上記特許文献１においては、切断手段の下方においてシート材が詰まったとしても、そのシート材を開口から取り除くことができる、とされている。しかしながら、この場合、開口の大きさが限られており、その開口からのメンテナンス作業は困難であった。また、例えば、開口から遠い位置に詰まったシート材などを取り除くことも困難であった。
本発明は、上記現状に鑑みてなされたものであり、容易に切断手段のメンテナンスを行うことができるおしぼり製造装置を提供することを目的とする。
【課題を解決するための手段】
【０００５】
上記問題を解決するために、請求項１に記載の発明は、帯状のシート材からおしぼりを製造するおしぼり製造装置であって、
前記帯状のシート材が纏まったシート体から前記シート材を引き出す引出手段と、
前記引出手段により引き出された前記シート材を所定長さに切断する切断手段と、
前記切断手段により切断された前記シート材をおしぼりの形状に成形する成形手段と、
前記引出手段、前記切断手段、及び前記成形手段を収容するケースと、を備え、
前記ケースには、前記切断手段が収容される収容空間が形成され、
前記収容空間には、その外部と連通した開口が形成されており、
前記切断手段は、前記開口を通じて前記収容空間から挿脱可能に設けられていることを特徴とするおしぼり製造装置である。
【０００６】
請求項２に記載の発明は、前記切断手段を前記ケースに固定するための固定スイッチが備えられており、
前記固定スイッチをオンにすることにより、前記切断手段は前記ケースから取り外し不能となり、
前記固定スイッチをオフにすることにより、前記切断手段は前記ケースから取り外し可能となることを特徴とする請求項１に記載のおしぼり製造装置である。
【０００７】
請求項３に記載の発明は、前記切断手段を前記ケースから取り外すと、前記切断手段が、前記ケース側に設けられた給電手段と電気的に切断され、
前記切断手段を前記ケースに取り付けると、前記切断手段が、前記給電手段と電気的に接続されることを特徴とする請求項１又は２記載のおしぼり製造装置である。
【発明の効果】
【０００８】
本発明のおしぼり製造装置は、帯状のシート材からおしぼりを製造する装置である。おしぼり製造装置は、帯状のシート材が纏まったシート体からシート材を引き出す引出手段と、引出手段により引き出されたシート材を所定長さに切断する切断手段と、切断手段により切断されたシート材をおしぼりの形状に成形する成形手段と、これら引出手段、切断手段、及び成形手段を収容するケースと、を備えている。ケースには、切断手段が収容される収容空間が形成されている。この収容空間には、その外部と連通した開口が形成されている。そして、切断手段は、この開口を通じて収容空間から挿脱可能に設けられている。
このような構成により、本発明のおしぼり製造装置では、切断手段を容易に取り外すことができ、取り外した切断手段から詰まったシート材などを容易に取り除くことができる。その結果、メンテナンス性に優れたおしぼり製造装置を実現できる。
【０００９】
また、切断手段をケースに固定するための固定スイッチが備えられており、固定スイッチをオンにすることにより、切断手段がケースから取り外し不能となり、固定スイッチをオフにすることにより、切断手段がケースから取り外し可能となる場合には、以下の効果を奏する。すなわち、固定スイッチの切り替えという簡単な操作により、切断手段の取り付け、取り外しを、より容易に行うことができる。
【００１０】
また、切断手段をケースから取り外すと、切断手段が、ケース側に設けられた給電手段と電気的に切断され、切断手段をケースに取り付けると、切断手段が、給電手段と電気的に接続される場合には、以下の効果を奏する。すなわち、切断手段の取り付け、取り外しに伴って、電気的接続も同時に行うことができる。これにより、メンテナンス性により優れたおしぼり製造装置を実現できる。
【図面の簡単な説明】
【００１１】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るおしぼり製造装置の斜視図である。
【図２】実施例１に係るおしぼり製造装置において、切断手段を取り外した状態を説明するための図である。
【図３】実施例１に係るおしぼり製造装置の内部構造を説明するための図である。
【図４】実施例１に係るおしぼり製造装置の内部構造の要部を説明するための図である。
【図５】実施例１に係る引出手段の側面図である。
【図６】実施例１に係る引出手段の断面図である。
【図７】実施例１に係る切断手段の斜視図である。
【図８】実施例１に係る切断手段の側面図である。
【図９】実施例１に係る切断手段の断面図である。
【図１０】実施例１に係るおしぼり製造装置の作用を説明するための図である。
【図１１】実施例１に係るおしぼり製造装置の作用を説明するための図である。
【図１２】実施例１に係るおしぼり製造装置の作用を説明するための図である。
【図１３】実施例１に係るおしぼり製造装置の作用を説明するための図である。
【図１４】実施例１に係るおしぼり製造装置の作用を説明するための図である。
【図１５】実施例１に係るおしぼり製造装置の作用を説明するための図である。
【図１６】実施例２に係るおしぼり製造装置を説明するための図である。
【図１７】実施例２に係るおしぼり製造装置を説明するための図である。
【図１８】実施例３に係るおしぼり製造装置を説明するための図である。
【図１９】実施例３に係るおしぼり製造装置を説明するための図である。
【図２０】他の実施形態に係るおしぼり製造装置を説明するための図である。
【図２１】他の実施形態に係るおしぼり製造装置を説明するための図である。
【図２２】他の実施形態に係るおしぼり製造装置を説明するための図である。
【図２３】他の実施形態に係るおしぼり製造装置を説明するための図である。
【発明を実施するための形態】
【００１２】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
（１）おしぼり製造装置の構成
本実施形態に係るおしぼり製造装置（１）は、帯状のシート材（３）からおしぼり（５）を製造する装置である。
おしぼり製造装置（１）は、帯状のシート材（３）が纏まったシート体（１５）からシート材（３）を引き出す引出手段（７）と、引出手段（７）により引き出されたシート材（３）を所定長さに切断する切断手段（９）と、切断手段（９）により切断されたシート材（３）をおしぼり（５）の形状に成形する成形手段（１１）と、を備えている。
また、おしぼり製造装置（１）は、これら引出手段（７）、切断手段（９）、及び成形手段（１１）を収容するケース（１３）を備えている。ケース（１３）には、切断手段（９）が収容される収容空間（Ｒ）が形成されており、収容空間（Ｒ）には、その外部と連通した開口（１９）が形成されている。そして、切断手段（９）は、開口（１９）を通じて収容空間（Ｒ）から挿脱可能に設けられている（例えば、図１、図２、図３等参照）。
【００１４】
シート材（３）は、帯状である限り特に限定されず、目的に応じて適宜選択できる。シート材（３）の材質としては、例えば、不織布、織布、紙等を採用することができる。
シート材（３）は、通常、纏められた状態であるシート体（１５）とされている。シート体（１５）としては、例えば、シート材（３）が、ロール状に巻回されたもの（例えば、図３、図４等参照）や、蛇腹状（ジグザグ状）等に折り畳まれたものなどを挙げることができる。シート材（３）は、通常、これらのような纏められた状態でおしぼり製造装置（１）にセットされる。
【００１５】
引出手段（７）は、帯状のシート材（３）が纏まったシート体（１５）からシート材（３）を引き出す手段であれば特に限定されない。引出手段（７）は、例えば、その回転によりシート材（３）を引き出す引出ローラ（７Ａ）と、この引出ローラ（７Ａ）を駆動するための駆動モータ（７Ｂ）と、を備えて構成されていることができる。また、この場合、引出手段（７）は、例えば、シート材（３）の引出量をコントロールする引出量コントローラを備えていることができる。これにより、シート材（３）の引出量を制御でき、１つのおしぼり（５）に使用されるシート材（３）の長さを自由に設定可能となる。
引出量コントローラの構成は、シート材（３）の引出量をコントロールする限り特に限定されないが、例えば、引出ローラ（７Ａ）の回転軸の軸端に取り付けられた回転盤（７Ｃ）と、この回転盤（７Ｃ）の回転を検知するセンサ（７Ｄ）と、を備えて構成されていることができる（例えば、図５等参照）。この場合、引出ローラ（７Ａ）の回転量に基づいてシート材（３）の引出量を制御することができる。
【００１６】
切断手段（９）は、帯状のシート材（３）を所定長さに切断する手段であれば、特に限定されない。例えば、切断刃を備えたカッターや、一対の切断刃によりシート材（３）を挟み込んで切り込むもの等、目的に応じて適宜選択できる。また、切断手段の刃を構成する材質は特に制限はない。例えば、金属、プラスチックが挙げられる。
また、シート材（３）に予め、ミシン目等の切断予定線が入れられていてもよい。このように、切断予定線を入れておくと、所望の位置で切断しやすくなる。
【００１７】
切断手段（９）は、例えば、固定刃（９Ａ）と、回転刃（９Ｂ）と、を備えて構成されていることができる（例えば、図４、図７〜図９等参照）。この場合、切断手段（９）は、回転刃（９Ｂ）を回転させて固定刃（９Ａ）と回転刃（９Ｂ）でシート材（３）を挟み込み、せん断によりシート材（３）を切断するように構成されていることができる。この場合、切断手段（９）を駆動するための駆動源は特に限定されないが、例えば、モータ等を採用することができる。上述の回転刃（９Ｂ）を備える構成の切断手段（９）の場合には、例えば、回転刃（９Ｂ）を回転させるための駆動モータ（９Ｃ）を駆動源として、採用することができる。この切断手段（９）を駆動するための駆動源（９Ｃ）は、切断手段（９）とともにケース（１３）から挿脱可能に設けられていてもよい。また、駆動源（９Ｃ）は、ケース（１３）側に取り付けられてケース（１３）から挿脱不能に設けられていてもよい（例えば、図２３等参照）。駆動源（９Ｃ）がケース（１３）側に取り付けられている場合、例えば、切断手段（９）は、ケース（１３）に取り付けられたときに、歯車等の動力伝達手段を介して駆動源（９Ｃ）と接続されることができる。
【００１８】
また、本実施形態に係るおしぼり製造装置（１）は、例えば、切断手段（９）が、引出手段（７）や後述の成形手段（１１）等の他の手段のうちの少なくとも１つとユニット（３５）を形成しており、このユニット（３５）全体がケース（１３）から挿脱可能に設けられていてもよい。
【００１９】
成形手段（１１）は、切断手段（９）により切断されたシート材（３）をおしぼり（５）の形状に成形する限り、その構成等は特に限定されない。成形手段（１１）は、例えば、シート材（３）をロール状に巻回して巻きおしぼりに成形する手段や、シート材（３）を折り畳んで折り畳みおしぼりに成形する手段等であることができる。
シート材（３）を巻きおしぼりに成形する手段としては、例えば、対となる２つのベルトコンベア（１１Ａ，１１Ｂ）を備え、これらベルトコンベア（１１Ａ，１１Ｂ）間でシート材（３）を巻回する手段が挙げられる。
【００２０】
ケース（１３）の形状、大きさ、材質、構成等は特に限定されない。
ケース（１３）には、切断手段（９）が収容される収容空間（Ｒ）が形成されている。この収容空間（Ｒ）には、その外部と連通した開口（１９）が形成されている。そして、切断手段（９）は、この開口（１９）を通じて収容空間（Ｒ）から挿脱可能に設けられている。開口（１９）の大きさ、位置等は、切断手段（９）を挿脱可能である限り、特に限定されない。開口（１９）は、おしぼり製造装置１の通常の使用状態においては、蓋（２７）等により塞がれていることが好ましい。
【００２１】
また、本実施形態に係るおしぼり製造装置（１）は、例えば、シート材（３）に散水して水を含ませるための散水部（２３）や、この散水部（２３）に水を供給するための給水手段（２５）等を備えることができる（例えば、図３等参照）。
【００２２】
本実施形態に係るおしぼり製造装置（１）は、例えば、切断手段（９）をケース（１３）に固定するための固定スイッチ（２９）を備え、この固定スイッチ（２９）をオンにすることにより、切断手段（９）がケース（１３）から取り外し不能となり、固定スイッチ（２９）をオフにすることにより、切断手段（９）がケース（１３）から取り外し可能となる形態であることができる（例えば、図１２、図１３、図１６、図１７等参照）。
固定スイッチ（２９）の構成は特に限定されないが、例えば、オンとオフの２位置に移動可能な操作部（２９Ａ）と、この操作部（２９Ａ）のオンオフ操作に連動する係合部（２９Ｂ）と、係合部（２９Ｂ）が係合する被係合部（２９Ｃ）と、を備えて構成されていることができる（例えば、図１２、図１３等参照）。
【００２３】
また、本実施形態に係るおしぼり製造装置（１）は、例えば、切断手段（９）をケース（１３）から取り外すと、切断手段（９）が、ケース（１３）側に設けられた給電手段と電気的に切断され、切断手段（９）をケース（１３）に取り付けると、切断手段（９）が、給電手段と電気的に接続される形態であることができる。具体的には、例えば、切断手段（９）側にコネクタ（３１）が設けられ、ケース（１３）側に切断手段（９）への給電用のコネクタ（３３）が設けられ、切断手段（９）のケース（１３）からの挿脱によって、２つのコネクタ（３１，３３）が接続されたり接続解除されたりする形態を挙げることができる（例えば、図１４等参照）。
【００２４】
コネクタ（３１，３３）の種類等は特に限定されず、目的に応じて適宜選択できる。例えば、コネクタ（３１，３３）としては、所謂オスメスコネクタなどの一般的なコネクタを採用することができる。なお、これらコネクタ（３１，３３）が一対のオスメスコネクタである場合、切断手段（９）側のコネクタ（３１）と、ケース（１３）側のコネクタ（３３）と、のいずれの側のコネクタをオスコネクタ又はメスコネクタとするかは、目的に応じて適宜選択すればよい。
また、例えば、コネクタ（３１，３３）として、防水コネクタを採用することができる。この場合、おしぼり製造装置が水を扱うことから、電気的な信頼性の向上を図ることができて好ましい。
【００２５】
また、コネクタ（３１，３３）は、例えば、上述の固定スイッチ（２９）をオンにすることにより電気的に接続され、固定スイッチ（２９）をオフにすることにより電気的に接続解除されるように設けられていることができる（例えば、図１６、図１７等参照）。
【００２６】
（２）おしぼり製造装置の効果
本実施形態に係るおしぼり製造装置（１）は、帯状のシート材（３）からおしぼり（５）を製造する装置である。おしぼり製造装置（１）は、帯状のシート材（３）が纏まったシート体（１５）からシート材（３）を引き出す引出手段（７）と、引出手段（７）により引き出されたシート材（３）を所定長さに切断する切断手段（９）と、切断手段（９）により切断されたシート材（３）をおしぼり（５）の形状に成形する成形手段（１１）と、これら引出手段（７）、切断手段（９）、及び成形手段（１１）を収容するケース（１３）と、を備えている。ケース（１３）には、切断手段（９）が収容される収容空間（Ｒ）が形成されている。この収容空間（Ｒ）には、その外部と連通した開口（１９）が形成されている。そして、切断手段（９）は、この開口（１９）を通じて収容空間（Ｒ）から挿脱可能に設けられている。これにより、切断手段（９）を容易に取り外すことができ、取り外した切断手段（９）から詰まったシート材（３）などを容易に取り除くことができる。その結果、メンテナンス性に優れたおしぼり製造装置を実現できる。また、シート材（３）がケース（１３）内に詰まった場合でも、切断手段（９）を取り外すことで、シート材（３）の除去作業をより容易に行うことができる。
【００２７】
また、切断手段（９）をケース（１３）にロックして固定するための固定スイッチ（２９）が備えられており、固定スイッチ（２９）をオンにすることにより、切断手段（９）がケース（１３）にロックされて取り外し不能となり、固定スイッチ（２９）をオフにすることにより、ロックが外れて、切断手段（９）がケース（１３）から取り外し可能となる。このため、固定スイッチ（２９）の切り替えという簡単な操作により、切断手段（９）の取り付け、取り外しを、より容易に行うことができる。
【００２８】
また、切断手段（９）をケース（１３）から取り外すと、切断手段（９）が、ケース（１３）側に設けられた給電手段と電気的に切断され、切断手段（９）をケース（１３）に取り付けると、切断手段（９）が、給電手段と電気的に接続される。このため、切断手段（９）の取り付け、取り外しに伴って、電気的接続も同時に行うことができる。これにより、メンテナンス性により優れたおしぼり製造装置を実現できる。
なお、上記実施形態で記載した各構成の括弧内の符号は、後述する実施例に記載の具体的構成との対応関係を示すものである。
【実施例】
【００２９】
以下、図面を参照して実施例により本発明をより具体的に説明する。
＜実施例１＞
（１）おしぼり製造装置の構成
以下、実施例１に係るおしぼり製造装置１を、図１〜図１５を参照しつつ説明する。
本実施例に係るおしぼり製造装置１は、帯状のシート材３からロール状のおしぼり５を製造する装置である。おしぼり製造装置１は、図１及び図２に示すように、全体として略直方体形状をなしている。図１に示す本装置１の正面には、おしぼり製造に係る操作パネルＰが備えられている。
【００３０】
図３及び図４に示すように、おしぼり製造装置１は、引出手段７と、切断手段９と、成形手段１１と、を備えている。また、おしぼり製造装置１は、これら引出手段７、切断手段９及び成形手段１１を収容するケース１３を備えている。
ケース１３には、シート材３を巻回したシートロール１５を収納する収納部１７が設けられている。図３に示すように、収納部１７は、ケース１３の上部前方に形成されている。シートロール１５は、この収納部１７に回転可能に納められる。収納部１７は、ケース１３の上部を覆うように配される上蓋２１を外すことによって開放される。なお、本実施例において、「帯状のシート材が纏まったシート体」の例として上述のシートロール１５を例示している。
【００３１】
引出手段７は、図３及び図４に示すように、収納部１７の後方に設けられている。引出手段７は、収納部１７に収納されたシートロール１５からシート材３を引き出して切断手段９へ送る。本実施例において、引出手段７は、図５及び図６に示すように、その回転によりシート材３を引き出す引出ローラ７Ａと、この引出ローラ７Ａを駆動するための駆動モータ７Ｂと、を備えている。
【００３２】
また、本実施例では、引出手段７は、引出量コントローラを備えている。引出量コントローラは、図５に示すように、引出ローラ７Ａの回転軸の軸端に取り付けられた回転盤７Ｃと、この回転盤７Ｃの回転を検知するセンサ７Ｄと、を備えて構成されている。これにより、引出ローラ７Ａの回転量を検知し、これに基づいてシート材３の引出量が制御されるようになっている。
さらに、引出手段７は、案内部材７Ｅを備えている。案内部材７Ｅは、引出ローラ７Ａにより引き出されたシート材３を切断手段９に案内するように設けられている。
【００３３】
切断手段９は、図３及び図４に示すように、引出手段７の下方に設けられている。切断手段９は、引出手段７により送られたシート材３を所定長さに切断する。切断手段９は、ケース１３に形成された収容空間Ｒに収容されている。
本実施例において、切断手段９は、図７〜図９に示すように、固定刃９Ａと、回転刃９Ｂと、を備えている。回転刃９Ｂは、駆動モータ９Ｃにより駆動されて回転するようになっている。切断手段９は、回転刃９Ｂを回転させて固定刃９Ａと回転刃９Ｂでシート材３を挟み込み、せん断によりシート材３を切断する。なお、本実施例では、駆動モータ９Ｃは切断手段９と一体に設けられている。
【００３４】
成形手段１１は、図３及び図４に示すように、切断手段９の下方に設けられている。成形手段１１は、切断手段９により切断されたシート材３をおしぼりの形状に成形する。本実施例において、成形手段１１は、一対のベルトコンベア１１Ａ，１１Ｂを備えている。ベルトコンベア１１Ａ，１１Ｂは、図示しない駆動モータにより異なる速度で駆動され、その間を通過するシート材３を巻回し、ロール状に成形することができるようになっている。なお、成形手段１１により成形されるシート材３は、図３及び図４に示す散水部２３により散水され、水分を含んだ状態で成形される。
【００３５】
散水部２３には、給水手段２５により水が供給される。給水手段２５は、図３に示すように、給水タンク２５Ａと、給水ポンプ２５Ｂと、リザーブタンク２５Ｃと、を備えて構成されている。給水タンク２５Ａは、ケース１３から挿脱自在に設けられている。給水ポンプ２５Ｂは、給水タンク２５Ａの水を下流側へ圧送する。リザーブタンク２５Ｃは、給水タンク２５Ａの水を一旦貯留しておくことができる。また、リザーブタンク２５Ｃでは、リザーブタンク２５Ｃ内に貯留された水を加熱して温水とすることも可能である。これにより、本実施例のおしぼり製造装置１は、温水を用いた温かいおしぼりを製造することもできる。
【００３６】
本実施例において、おしぼり製造装置１は、図２に示すように、ケース１３の側面に開口１９が形成されている。開口１９は、図７及び図８に示すように、切断手段９の収容空間Ｒに対応する位置に形成されている。切断手段９は、開口１９からその収容空間Ｒに挿脱可能に設けられている。本実施例では、収容空間Ｒ内には、開口１９側から収容空間Ｒの奥側に向かって横方向に延びる図示しない案内レールが形成されている。切断手段９は、この案内レールに案内されて、横方向にスライドして収容空間Ｒに挿脱される。なお、開口１９は、通常使用時には、側蓋２７により塞がれている。
【００３７】
また、本実施例に係るおしぼり製造装置１は、切断手段９をケース１３に固定するための固定スイッチ２９を備えている。本実施例において、固定スイッチ２９は、オンとオフの２位置に移動可能な操作部２９Ａと、操作部２９Ａのオンオフ操作に連動する係合部２９Ｂと、係合部２９Ｂが係合する被係合部２９Ｃと、を備えて構成されている。
【００３８】
操作部２９Ａは、引出手段７の下方側面に露出するように設けられている。操作部２９Ａは、２位置スライドスイッチを採用しており、その操作方向は、切断手段９のスライド方向（横方向）と交差する方向（上下方向）としている（図１２、図１３参照）。この操作部２９Ａを引出手段７側（ケース１３側）に設けているのは、通常、切断手段９の取り付け及び取り外しの際に切断手段９を把持していることから、この際の操作部２９Ａの意図しない操作を防止するためである。また、その操作方向を切断手段９のスライド方向（横方向）と交差する方向（上下方向）としているのも同様の誤操作を防止するためである。
【００３９】
係合部２９Ｂは、操作部２９Ａの裏面に取り付けられ、下方に突出する爪状に形成されている。被係合部２９Ｃは、切断手段９に設けられており、切断手段９をケース１３の収容空間Ｒに収容した状態で、係合部２９Ｂと係合可能に設けられている。そして、固定スイッチ２９をオンにすることにより、切断手段９はケース１３から取り外し不能となり、固定スイッチ２９をオフにすることにより、切断手段９はケース１３から取り外し可能となる。
【００４０】
また、本実施例に係るおしぼり製造装置１では、図７〜図９に示すように、切断手段９に給電するためのコネクタ３１が設けられている。コネクタ３１は、ケース１３側に設けられたコネクタ３３（本発明に係る給電手段として例示する）と接続可能に設けられている。コネクタ３１，３３は、切断手段９のスライド方向（横方向）と同方向の移動により接続又は接続解除されるように配されている。これにより、切断手段９をケース１３から取り外すと、コネクタ３１とコネクタ３３とが切り離される。このようにコネクタ３１がコネクタ３３と切り離されることにより、切断手段９が、ケース１３側に設けられた給電手段と電気的に切断されることとなる。また、切断手段９をケース１３に取り付けると、コネクタ３１がコネクタ３３と接続される。このようにコネクタ３１がコネクタ３３と切り離されることにより、切断手段９が、ケース１３側の給電手段と電気的に接続されることとなる。
なお、本実施例において、コネクタ３１，３３は防水コネクタを採用している。
【００４１】
（２）おしぼり製造装置の作用
次に上記構成のおしぼり製造装置１の作用について説明する。
おしぼり製造装置１を用いておしぼりを製造する際には、最初に、シート材３を巻回したシートロール１５を、おしぼり製造装置１にセットする。具体的には、ケース１３の上蓋２１を取り外し、収納部１７にシートロール１５をセットする。
【００４２】
次に、シートロール１５からシート材３を引き出して、その先端を引出手段７にセットする。すると、シート材３は、引出手段７により自動的に引き出され、その先端が切断手段９の手前の初期位置となる位置まで送られる。
この状態で、ケース１３の正面の操作パネルＰを操作することによりおしぼりが製造される。具体的には、操作パネルＰの操作スイッチを操作すると、引出手段７により所定長さのシート材３が引き出され、切断手段９により所定長さに切断される。切断手段９により切断されたシート材３は、成形手段１１に送られ、散水部２３により散水されたのちおしぼりの形状に成形される。本実施例の場合、シート材３は、成形手段１１の２つのベルトコンベア１１Ａ，１１Ｂにより巻回され、ロール状に成形される。
【００４３】
本実施例に係るおしぼり製造装置１は、状態異常が生じたときには、警告音、パネル表示等による所定の警告報知がなされる。したがって、切断手段９において、シート材３の切断不良等により、シート材３の詰まりなどが生じた場合には、その旨の警告報知がなされる。この場合には、最初に、図１０に示す状態において、ケース１３の側面の側蓋２７を取り外す。これにより、図１１に示すように、開口１９と、この開口１９からケース１３の収容空間に収容された切断手段９の側部が露出する。次に、図１１及び図１２の状態において、図１３に示すように固定スイッチ２９の操作部２９Ａをオフの位置へ切り替える操作を行う。これにより、切断手段９のロックが解除されるとともに、切断手段９側に設けられたコネクタ３１と、装置本体側に設けられたコネクタ３３と、の係合が解除される。そして、図１４に示すように、切断手段９をケース１３の収容空間Ｒから取り外し、切断手段９のメンテナンスを行う。
なお、ケース１３内におけるシート材３の詰まりなどが生じたときには、図１５に示すように、切断手段９を取り外した後の開口１９を通じて、ケース１３内部のメンテナンスを行うこともできる。
【００４４】
（３）実施例１の効果
以上より、本実施例に係るおしぼり製造装置１では、切断手段９は、ケース１３に形成された開口１９を通じて、ケース１３内の収容空間Ｒから挿脱可能に設けられている。
このような構成により、切断手段９を容易に取り外すことができ、取り外した切断手段９からシート材３の小片やくずなどを容易に取り除くことができる。その結果、メンテナンス性に優れたおしぼり製造装置を実現できる。また、シート材３がケース１３内に詰まった場合でも、切断手段９を取り外すことで、シート材３の除去作業をより容易に行うことができる。
【００４５】
また、本実施例に係るおしぼり製造装置１では、切断手段９をケース１３に固定するための固定スイッチ２９が備えられており、固定スイッチ２９をオンにすることにより、切断手段９がケース１３から取り外し不能となり、固定スイッチ２９をオフにすることにより、切断手段９がケース１３から取り外し可能となる。このように、固定スイッチ２９の切り替えという簡単な操作により、切断手段９の取り付け、取り外しを、より容易に行うことができる。
【００４６】
また、本実施例に係るおしぼり製造装置１では、切断手段９をケース１３から取り外すと、切断手段９が、ケース１３側に設けられた給電手段と電気的に切断され、切断手段９をケース１３に取り付けると、切断手段９が、給電手段と電気的に接続される。したがって、切断手段９の取り付け、取り外しに伴って、電気的接続も同時に行うことができる。これにより、メンテナンス性により優れたおしぼり製造装置を実現できる。
【００４７】
また、本実施例に係るおしぼり製造装置１では、収容空間Ｒ内に案内レールを設けるようにし、切断手段９がこの案内レールに案内されて、横方向にスライドして収容空間Ｒに挿脱されるようにしている。このため、切断手段９の確実な挿脱を実現することができる。
また、本実施例に係るおしぼり製造装置１では、固定スイッチ２９の操作部２９Ａの操作方向を、切断手段９のスライド方向（横方向）と交差する方向（上下方向）としている。このため、切断手段９の挿脱時における操作部２９Ａの誤操作を防止できる。
【００４８】
＜実施例２＞
（１）おしぼり製造装置の構成
次に、実施例２に係るおしぼり製造装置１を、図１６及び図１７を参照しつつ説明する。なお、実施例２のおしぼり製造装置１において、上記実施例１のおしぼり製造装置１と略同じ構成部位には同符号を付けて、構造、作用及び効果の説明は省略する。実施例２のおしぼり製造装置１では、次の点が、実施例１のおしぼり製造装置１と相違している。すなわち、本実施例では、固定スイッチ２９は、切断手段９の固定（オン）と固定解除（オフ）を行うのみならず、その切り替えに伴って、切断手段９側とケース１３側との電気的接続の切り替えも行われるようになっている。具体的には、図１６に示すように、固定スイッチ２９をオンにすることにより、切断手段９側のコネクタ３１とケース１３側のコネクタ３３とが接続されるようになっている。また、図１７に示すように、固定スイッチ２９をオフにすることにより、切断手段９側のコネクタ３１とケース１３側のコネクタ３３との接続が解除されるようになっている。すなわち、固定スイッチ２９のオンオフの切り替えにより、切断手段９の固定と固定解除の切り替えができ、これに伴って切断手段９とケース１３側の給電手段との電気的接続とその解除とを行うことができるように構成されている。
【００４９】
（２）実施例２の作用及び効果
上述のように、実施例２のおしぼり製造装置１では、固定スイッチ２９をオフにすると、切断手段９の固定が解除されるとともに、切断手段９側に設けられたコネクタ３１と、ケース１３側に設けられたコネクタ３３と、が切り離される。すなわち、固定スイッチ２９のオフ操作により、切断手段９が、ケース１３側に設けられた給電手段（コネクタ３３）と電気的に切断される。また、切断手段９をケース１３の収容空間に収容した状態で固定スイッチ２９をオンにすると、切断手段９が固定されるとともに、切断手段９側に設けられたコネクタ３１と、ケース１３側に設けられた給電手段（コネクタ３３）と、が電気的に接続される。
このように、本実施例のおしぼり製造装置１では、固定スイッチ２９のオン操作により、切断手段９の固定と電気的接続を同時に行うことができる。また、固定スイッチ２９のオフ操作により、切断手段９の固定の解除及び電気的接続の解除を同時に行うことができる。
【００５０】
＜実施例３＞
（１）おしぼり製造装置の構成
次に、実施例３に係るおしぼり製造装置１を、図１８及び〜図１９を参照しつつ説明する。なお、実施例３のおしぼり製造装置１において、上記実施例１及び２のおしぼり製造装置１と略同じ構成部位には同符号を付けて、構造、作用及び効果の説明は省略する。実施例３のおしぼり製造装置１では、次の点が、実施例１及び２のおしぼり製造装置１と相違している。すなわち、本実施例では、引出手段７と、切断手段９と、が一体的に構成された引出切断ユニット３５として形成されている。そして、この引出切断ユニット３５は、ケース１３の上面に設けられた開口１９を通じて、収容空間Ｒから挿脱可能に設けられている。
【００５１】
（２）実施例３の作用及び効果
上述のように、本実施例に係るおしぼり製造装置１では、切断手段９と一緒に引出手段７も取り外し可能な構成とされている。これにより、シート材３の詰まりが引出手段７にて発生した場合などにおいても、容易にメンテナンスを行うことができる。
【００５２】
尚、本発明においては、上記実施例１〜３に限られず、目的、用途に応じて本発明の範囲内で種々変更した実施例とすることができる。
【００５３】
例えば、図２０〜図２２に示すように、コネクタ３３がシャッター部材３３Ａを備える構成としてもよい。シャッター部材３３Ａは、図２１に示すように、接続解除された状態のコネクタ３３の前面を覆うように設けられており、コネクタ３３の接続時には、図２０及び図２２に示すように開いてコネクタ３３の接続面を開放するようにされている。これにより、水を扱うおしぼり製造装置において、コネクタにおける防水性をより確実なものとすることができる。
なお、シャッター部材３３Ａの開閉は、開閉スイッチ等を設けることによる手動によるものであってもよいし、切断手段９のケース１３への取り付け、取り外しに伴って自動で行われるものであってもよい。
また、上記実施例１では、コネクタ３１，３３は、切断手段９の挿脱とともに接続及び接続解除される例を示したが、これに限定されず、例えば、コネクタの接続及び接続解除を、切断手段の挿脱とは別で行うようにしてもよい。
【００５４】
また、上記実施例では、切断手段９をケース１３に固定するための固定スイッチ２９を設ける例を示したが、これに限定されず、例えば、切断手段９が側蓋２７の開閉に伴って固定されたり固定解除されたりなど、他の固定手段を用いてもよい。
【００５５】
また、上記実施例では、切断手段９を駆動するための駆動モータ９Ｃは、切断手段９とともにケース１３から挿脱可能である例を示したが、これに限定されず、例えば、図２３に示すように、駆動モータ９Ｃがケース１３側に取り付けられて挿脱不能であるようにしてもよい。この場合、切断手段９を取り外したとしても、駆動モータの電気的接続を解除する必要がない。このため、切断手段９の挿脱に伴う駆動モータ用のコネクタの接続及び接続解除が不要となり、より簡易な構成とすることができる。また、この場合の切断手段９は、少なくとも駆動モータ９Ｃ分の軽量化が図れているので、挿脱の際の取り扱いがより容易となる。
【００５６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５７】
本発明は上記で詳述した実施形態に限定されず、本発明の請求項に示した範囲で様々な変形または変更が可能である。
【産業上の利用可能性】
【００５８】
本発明は、おしぼりを製造するおしぼり製造装置に関する技術として広く利用される。
【符号の説明】
【００５９】
１；おしぼり製造装置
３；シート材
５；おしぼり
７；引出手段
７Ａ；引出ローラ
７Ｂ；駆動モータ
７Ｃ；回転盤
７Ｄ；センサ
７Ｅ；案内部材
９；切断手段
９Ａ；固定刃
９Ｂ；回転刃
９Ｃ；駆動モータ
１１；成形手段
１１Ａ，１１Ｂ；ベルトコンベア
１３；ケース
１５；シートロール（シート体）
１７；収納部
１９；開口
２１；上蓋
２３；散水部
２５；給水手段
２５Ａ；給水タンク
２５Ｂ；給水ポンプ
２５Ｃ；リザーブタンク
２７；側蓋
２９；固定スイッチ
２９Ａ；操作部
２９Ｂ；係合部
２９Ｃ；被係合部
３１，３３；コネクタ
３３Ａ；シャッター部材
３５；引出切断ユニット
Ｐ；操作パネル
Ｒ；収容空間
【図１】
2016174767.tif 000003
【図２】
2016174767.tif 000004
【図３】
2016174767.tif 000005
【図４】
2016174767.tif 000006
【図５】
2016174767.tif 000007
【図６】
2016174767.tif 000008
【図７】
2016174767.tif 000009
【図８】
2016174767.tif 000010
【図９】
2016174767.tif 000011
【図１０】
2016174767.tif 000012
【図１１】
2016174767.tif 000013
【図１２】
2016174767.tif 000014
【図１３】
2016174767.tif 000015
【図１４】
2016174767.tif 000016
【図１５】
2016174767.tif 000017
【図１６】
2016174767.tif 000018
【図１７】
2016174767.tif 000019
【図１８】
2016174767.tif 000020
【図１９】
2016174767.tif 000021
【図２０】
2016174767.tif 000022
【図２１】
2016174767.tif 000023
【図２２】
2016174767.tif 000024
【図２３】
2016174767.tif 000025